(57)【要約】【課題】防漏壁がループ形状に起立していることを装着者に認識させ易く、装着者に漏れに対する安心感を想起させ易いループ形状の防漏壁を設けている吸収性物品を提供すること。装着者が交換時期を判断し易い指標を有するループ形状の防漏壁を設けた吸収性物品を提供すること。【解決手段】本発明の生理用ナプキン１Ａは、表面シート２、裏面シート３及び両シート２，３間に介在する吸収体４を具備する縦長の吸収性本体５と、その両側部５ａに伸縮性シート６を接合して形成された防漏壁７，７’とを備えている。伸縮性シート６は、シート材６１と該シート材６１に固定された複数本の弾性部材６３とを有している。複数本の弾性部材６３は、生理用ナプキン１Ａの長手方向における少なくとも排泄部領域ａに配されており、且つ、相互に異なる色の弾性部材６３ａ，６３ｂが生理用ナプキン１Ａの幅方向の位置を異ならせて配されている。【選択図】図３
2010172646.tif 000002
【特許請求の範囲】
【請求項１】
肌当接面を形成する表面シート、非肌当接面を形成する裏面シート及び両シート間に介在する吸収体を有する吸収性本体と、該吸収性本体の長手方向両側部それぞれに伸縮性シートを接合して形成された中空のループ状の防漏壁とを備えた縦長の吸収性物品であって、
前記伸縮性シートは、帯状の形状を有しており、シート材と該シート材に固定された複数本の弾性部材とを有し、
複数本の前記弾性部材は、前記吸収性物品の長手方向における少なくとも排泄部領域に配されており、且つ相互に異なる色の弾性部材が前記吸収性物品の幅方向の位置を異ならせて配されている吸収性物品。
【請求項２】
前記シート材に複数本の前記弾性部材を固定してなる前記伸縮性シートにおいて、
相互に異なる色の前記弾性部材が、該弾性部材の肌側に配された前記シート材より濃い色の濃色弾性部材と該濃色弾性部材より薄い色の薄色弾性部材であり、前記吸収性物品の幅方向に該濃色弾性部材と該薄色弾性部材とが交互に配されている請求項１に記載の吸収性物品。
【請求項３】
前記シート材に複数本の前記弾性部材を固定してなる前記伸縮性シートにおいて、
相互に異なる色の前記弾性部材が、該弾性部材の肌側に配された前記シート材より濃い色の濃色弾性部材と該濃色弾性部材より薄い色の薄色弾性部材であり、ループ状の前記防漏壁の頂部より幅方向外方の領域に該濃色弾性部材が配され、該頂部より幅方向内方領域に該薄色弾性部材が配されている請求項１に記載の吸収性物品。
【請求項４】
前記シート材に複数本の前記弾性部材を固定してなる前記伸縮性シートにおいて、
肌側に配された前記シート材の色は、前記表面シートの肌当接面側の色を基準にして、ループ状の前記防漏壁の頂部より幅方向外方においては前記表面シートより濃い色の濃色シートであり、該頂部より幅方向内方においては該濃色シートより薄い色の薄色シートである請求項１〜３の何れかに記載の吸収性物品。
【発明の詳細な説明】
【技術分野】
【０００１】
本発明は、生理用ナプキンや失禁パッド等の吸収性物品に関する。
【背景技術】
【０００２】
従来、着用中の経血等の体液が幅方向に移動して側縁部から漏れてしまう横漏れを防止するため、長手方向両側縁部それぞれに防漏壁を設けた生理用ナプキンが知られている。
また、防漏壁の装着者へのフィット性を高める為に、中空のループ形状の防漏壁が知られている。例えば、特許文献１には、フィット性が高く、装着者の足の動き等の左右からの応力がかかった場合においても、中空のループ形状で緩衝し、生理用ナプキンにヨレを発生させず、横漏れ防止性の高い中空のループ形状の防漏壁を備えた生理用ナプキンが開示されている。
【０００３】
しかしながら、特許文献１に記載の生理用ナプキンは、ループ形状の防漏壁を形成するシートの色と生理用ナプキンの表面シートの色とが同じであるため、防漏壁がループ形状に起立していることを装着者に認識させ難く、横漏れ防止性の高いループ形状の防漏壁を設けている生理用ナプキンであるにもかかわらず、装着者に漏れに対する安心感を想起させ難い。
また、特許文献１に記載の生理用ナプキンの防漏壁は、ループ形状に起立するものであり、防漏壁の色が単調であると、装着者が一見して防漏壁の頂部を認識することが難しく、装着者が生理用ナプキンの交換時期を判断することが難しい。
【先行技術文献】
【特許文献】
【０００４】
【特許文献１】特開平１１−２９９８２１号公報
【発明の概要】
【発明が解決しようとする課題】
【０００５】
これまでに立体ギャザーの形態は数多く見出されてきている。その多くは、ギャザー材が弾性部材により肌当接面側に起立した自由端を形成する形態と、起立したギャザー材の肌当接面側に肌と幅広く密着させる、自由端を持った肌当接部を有する形態と、自由端がなくギャザー材の起立部と肌当接部とを併せ持つ形態とに大別される。内部が中空のループ形状ギャザーは、ギャザー材の起立部と肌当接部とを併せ持った形態として知られている。ループ形状ギャザーにおいては、肌当接面の下方にポケットとなる空間が形成されにくく、肌当接部領域と起立部領域との区別がつきにくい。さらに、ポケットが形成されにくいことから、瞬時に且つ多量に経血が排泄された場合には、その経血を一時的に貯蔵するスペースが少なく、使用者の足の動き等にギャザー形状が影響されやすいことから、ループ状のギャザー材と肌との間で流れ出やすくなる。
【０００６】
従って、本発明の目的は、防漏壁がループ形状に起立していることを装着者に認識させ易く、装着者に漏れに対する安心感を想起させ易いループ形状の防漏壁を設けている吸収性物品を提供することにある。また、装着者が吸収性物品の交換時期を判断し易い指標を有するループ形状の防漏壁を設けた吸収性物品を提供することにある。
【課題を解決するための手段】
【０００７】
本発明は、肌当接面を形成する表面シート、非肌当接面を形成する裏面シート及び両シート間に介在する吸収体を有する吸収性本体と、該吸収性本体の長手方向両側部それぞれに伸縮性シートを接合して形成された中空のループ状の防漏壁とを備えた縦長の吸収性物品であって、前記伸縮性シートは、帯状の形状を有しており、シート材と該シート材に固定された複数本の弾性部材とを有し、複数本の前記弾性部材は、前記吸収性物品の長手方向における少なくとも排泄部領域に配されており、且つ相互に異なる色の弾性部材が前記吸収性物品の幅方向の位置を異ならせて配されている吸収性物品を提供することにより前記目的を達成したものである。
【発明の効果】
【０００８】
本発明の吸収性物品によれば、防漏壁がループ形状に起立していることを装着者に認識させ易く、装着者に漏れに対する安心感を想起させ易い。また、本発明の吸収性物品によれば、装着者が吸収性物品の交換時期を判断し易い。
【図面の簡単な説明】
【０００９】
【図１】本発明の第１実施形態である生理用ナプキンの斜視図である。
【図２】図１に示す生理用ナプキンのＸ１−Ｘ１線断面図である。
【図３】図１に示す生理用ナプキンのＸ１−Ｘ１線断面の斜視図である。
【図４】図１に示す生理用ナプキンのＸ２−Ｘ２線断面図である。
【図５】本発明の第２実施形態である生理用ナプキンのＸ１−Ｘ１線断面の斜視図である。
【図６】（ａ）〜（ｃ）本発明のその他の実施形態である生理用ナプキンのＸ１−Ｘ１線断面図である。
【発明を実施するための形態】
【００１０】
以下、本発明の吸収性物品である生理用ナプキンの好ましい一実施形態について、図１〜図４に基づいて説明する。
【００１１】
第１実施形態の生理用ナプキン１Ａは、図１に示すように、生理用ナプキン１Ａの長手方向に延びる中心線ＣＬに対して左右対称に形成されている。
従って、以下には、主として生理用ナプキン１Ａの左側の構成について詳述し、右側の構成については、適宜説明を省略し、左側の構成要素に対応する右側の構成要素は、符号にダッシュ(’)を付してある。
【００１２】
第１実施形態の吸収性物品（生理用ナプキン）１Ａは、図１〜図４に示すように、肌当接面を形成する表面シート２、非肌当接面を形成する裏面シート３及び両シート２，３間に介在する吸収体４を具備する実質的に縦長の吸収性本体５と、該吸収性本体５の長手方向両側部５ａ，５ａ’それぞれに伸縮性シート６，６’を接合して形成された中空のループ状の防漏壁７，７’とを備えている。
伸縮性シート６，６’は、図２，図３に示すように、帯状の形状を有しており、シート材６１，６１’と該シート材６１，６１’に固定された複数本の弾性部材６３，６３’とを有している。
複数本の弾性部材６３，６３’は、図１〜図３に示すように、生理用ナプキン１Ａの長手方向（ＣＬ線方向）における少なくとも排泄部領域ａに配されており、且つ、図３に示すように、相互に異なる色の弾性部材６３ａ，６３ａ’，６３ｂ，６３ｂ’が生理用ナプキン１Ａの幅方向（ＣＬ線方向と直交する方向）の位置を異ならせて配されている。
なお、弾性部材は、糸状、紐状など、細長い形状のものを用いることが好ましい。
【００１３】
ここで、「排泄部領域ａ」とは、装着者の体液排泄部に当接される領域を意味する。第１実施形態の生理用ナプキン１Ａのように、ウイング部３１，３１’を有する吸収性物品における排泄部領域ａは、通常、吸収性物品（生理用ナプキン１Ａ）の長手方向においてウイング部３１，３１’を有する領域である。ウイング部３１，３１’を有しない吸収性物品における排泄部領域ａは、生理用ナプキンが個装形態に折り畳まれた際に生じる製品長手方向（ＣＬ線方向）に直交する２つの折線について、生理用ナプキンの長手方向の前端から数えて第１折線と第２折線とに囲まれた領域と同じか又は狭い領域を言う。また、生理用ナプキンの製品長が長く３つの折線が生じる場合には、製品の長手方向の前端から数えて第１折線と第２折線に囲まれた領域あるいは製品の長手方向の前端から数えて第１折線と第３折線とに囲まれた領域と同じか又は狭い領域を言う。
【００１４】
また、「相互に異なる色」とは、人が十分に視覚で認識できる色差を有するものである。
色特性の計算は、ＪＩＳ−Z−８７０１で記載されている通り、各標準光源に対するスペクトル三刺激純値（Xは赤、Yは緑、Zは青の色光）により表され、L*ａ*ｂ*の座標の計算は、以下の式に基づいて行われる。
L*＝１１６（Ｙ／Ｙx)1/3−１６
ａ*＝５００[（Ｘ／Ｘx）1/3−（Ｙ／Ｙx）1/3]
ｂ*＝２００[（Ｙ／Ｙx）1/3−（Ｚ／Ｚx）1/3]
色の定量的な差を表す方法として、色差を計算する場合には「L*ａ*ｂ*表色系」におけるΔE*値を用いる。
ΔE*＝[(ΔL*)2＋(Δａ*)2＋(Δｂ*)2]1/2
(ΔL*、Δａ*、Δｂ*は、２色間のL*値、ａ*値、ｂ*値の差である。例えばΔL*は、ΔL*＝L*2−L*1により計算される。)
したがって、人が十分に視覚で認識できる色差、即ち、相互に異なる色としては、ΔE*
値が３．０以上であることが好ましく、ΔE*が６．０以上であることがさらに好ましい。「Ｌ*ａ*ｂ*表色系」では、Ｌ*は明るさを、ａ*、ｂ*は色の方向を示しており、ａ*は略赤方向、−ａ*は略緑方向、ｂ*は略黄色方向、−ｂ*は略青方向を示している。これらの値は、日本電色工業株式会社製の簡易型分光色差計ＮＦ３３３（商品名）を用いて得ることができる。
簡易型分光色差計ＮＦ３３３による計測方法においては、ステープラータイプにてφ４ｍｍのＮＤ１１０センサーを取り付けておき、該センサーの先端部にはＯリング（小）を用い、光源Ｃ／２、視野角２°でそれぞれの試料を計測する。
【００１５】
第１実施形態の生理用ナプキン１Ａについて、詳述すると、第１実施形態の生理用ナプキン１Ａは、図１に示すように、その長手方向（ＣＬ線方向）に、装着者の体液排泄部に当接される排泄部領域ａ（ウイング部３１を有する領域）の後方に後方領域ｂ、排泄部領域ａ、排泄部領域ａの前方に前方領域ｃを備えている。第１実施形態の生理用ナプキン１Ａは、図１〜図４に示すように、液透過性の表面シート２、液不透過性又は撥水性の裏面シート３及び吸収体４を具備し、表面シート２と吸収体４とを固定する一対のエンボス溝９を具備している。エンボス溝９は、生理用ナプキン１Ａの両側部に、長手方向（ＣＬ線方向）に延びて延在している。表面シート２及び裏面シート３それぞれは、吸収体４よりも長手方向（ＣＬ線方向）に大きい外径寸法を有している。表面シート２及び裏面シート３は、生理用ナプキン１Ａの長手方向（ＣＬ線方向）の両端部ｂ１，ｃ１において、吸収体４の長手方向の両端部から延出し、その延出部は互いにヒートシール等により接合されて吸収性本体５を形成している。第１実施形態の生理用ナプキン１Ａは、その長手方向における中央部より前寄りの位置に一対のウイング部３１を有している。ウイング部３１は、裏面シート３を延出することにより形成されており、その裏面には、該ウイング部３１を、ショーツのクロッチ部の非肌対向面に固定するための粘着部３２が形成されている。これらの構成は、従来品と同じである。
【００１６】
次いで、第１実施形態の生理用ナプキン１Ａのループ状の防漏壁７について説明する。
第１実施形態の生理用ナプキン１Ａでは、図１〜図３に示すように、帯状の伸縮シート６が、吸収性本体５の長手方向（ＣＬ線方向）の側部５ａに、長手方向に沿って、配設及び固定されており、伸縮シート６の収縮により、肌当接面側に凸に起立したの中空のループ状の防漏壁７が形成される。ここで、「起立」とは、中空のループ状の防漏壁７の頂部７ａが表面シート２の表面よりも上方に位置する状態を意味する。
【００１７】
上記伸縮シート６は、第１実施形態の生理用ナプキン１Ａにおいては、図２及び図３に示すように、肌当接面側のシート材６１と、非肌当接面側のシート材６２と、それらのシート材６１，６２間に、複数本の弾性部材６３とを配置して形成されている。肌当接面側のシート材６１と、非肌当接面側のシート材６２とは、同形同大の帯状（長方形状）のシートであり、上記伸縮シート６は、肌当接面側のシート材６１と非肌当接面側のシート材６２との間に、糸状の弾性部材６３を、シート材６１，６２の長手方向（ＣＬ線方向）に配置して形成されている。
【００１８】
複数本の上記弾性部材６３は、３本〜１０本であることが好ましく、第１実施形態の生理用ナプキン１Ａにおいては、６本である。６本の弾性部材６３は、図１に示すように、生理用ナプキン１Ａの長手方向（ＣＬ線方向）における少なくとも排泄部領域ａに配されている。６本の上記弾性部材６３は、相互に異なる色、即ち、ΔE*値が３．０以上異なる弾性部材が生理用ナプキン１Ａの幅方向（ＣＬ線方向と直交する方向）の位置を異ならせて配されている。６本の弾性部材６３は、第１実施形態の生理用ナプキン１Ａにおいては、ΔE*値が３．０以上異なる３本の弾性部材と３本の弾性部材とに分けられ、それらは、肌当接面側のシート材６１より濃い色の３本の濃色弾性部材６３ａと濃色弾性部材６３ａより薄い色の３本の薄色弾性部材６３ｂとからなる。濃色弾性部材６３ａ及び薄色弾性部材６３ｂは、図３に示すように、生理用ナプキン１Ａの幅方向（ＣＬ線方向と直交する方向）に交互に配されている。即ち、濃色弾性部材６３ａ及び薄色弾性部材６３ｂは、伸張した状態で、帯状のシート材６１，６２の幅方向（ＣＬ線方向と直交方向）に交互に且つ略均等な間隔で配され、伸縮シート６を形成している。
【００１９】
肌当接面側の上記シート材６１の色は、第１実施形態の生理用ナプキン１Ａにおいて、表面シート２の肌当接面側の色を基準として、ループ状の防漏壁７の頂部７ａより幅方向外方（Ｘ３方向；ＣＬ線方向と直交方向であって生理用ナプキン１Ａの中心線（ＣＬ線）から外方へ向う方向）においては表面シート２より濃い色の濃色シート６１ａであり、頂部７ａより幅方向内方（Ｘ４方向；Ｘ３方向と逆方向）においては濃色シート６１ａより薄い色の薄色シート６１ｂである（図３等参照）。
【００２０】
濃色シート６１ａが表面シート２より「濃い色」とは、例えば、着色された防水フィルムが白色の不織布により貼り合わされた場合に、該不織布を介して視覚的に認識される色であり、装着者が一見してコントラストの違いを認識することができる色である。具体的には、色の三属性（色相、明度、彩度）により判断する（ＪＩＳＺ８７２１）。色相、明度、彩度の測定は、コニカミノルタセンシング株式会社製の色彩色差計「ＣＲ−３００」により測定する。ＪＩＳＺ８７２１における色相とは、光のスペクトルに表れる色の属性を意味し、赤（Ｒ）、黄（Ｙ）、緑（Ｇ）、青（Ｂ）、紫（Ｐ）の５色相を基本とし、さらに中間に黄赤（ＹＲ）、黄緑（ＧＹ）、青緑（ＢＧ）、青紫（ＰＢ）、赤紫（ＲＰ）を配して１０色相で表わし、この１０色相の各色相内で等級をさらに１０分割して１００色相として表わしたものである。またＪＩＳＺ８７２１における明度とは、物体表面の視感反射率（明るさに関する反射率）の大きさを示す視感覚の属性を意味し、光を完全に吸収する黒を０、光を完全に反射する白を１０として段階的に表わしたものである。またＪＩＳＺ８７２１における彩度とは、色の鮮やかさを示す度合いを意味し、無彩色を０とし、鮮やかさの増大にしたがって数値が大きくなるように表わしたものである。
【００２１】
濃色シート６１ａが表面シート２より「濃い色」とは、好ましくは、通常、生理用ナプキンの表面シートは白色の無彩色（明度評価の一番高い１０、彩度評価の一番低い０）であるため、表面シート２の色相と同系の色相において、表面シート２の明度よりも低い測定値であり、又は表面シート２の明度と同じ測定値である場合には表面シート２の彩度よりも高い測定値である。薄色シート６１ｂが濃色シート６１ａより「薄い色」とは、例えば、前記濃色シートに貼り合わされている不織布の坪量に対して、高坪量の不織布が貼り合わされた場合や製品構成材料の他の不織布が延在することにより不織布を介して視覚的に認識される色であり、好ましくは、濃色シート６１ａの色相と同系の色相において、濃色シート６１ａの明度よりも高い測定値であり、又は濃色シート６１ａの明度と同じ測定値である場合には濃色シート６１ａの彩度よりも低い測定値である。本実施形態において、「同系の色相」とは、色相の測定値が±２．５以下の範囲である。具体的には、５赤（Ｒ）に対する同系の色相は、２．５赤（Ｒ）〜７．５赤（Ｒ）の範囲を意味する。濃色弾性部材６３ａが肌当接面側のシート材６１より「濃い色」であること及び薄色弾性部材６３ｂが濃色弾性部材６３ａより「薄い色」であることについても同様である。
【００２２】
上記伸縮シート６は、図２及び図３に示すように、表面シート２及び吸収体４を挟持するように、伸縮シート６の長手方向の一側部６ａの肌当接面側のシート材６１の表面が、表面シート２の肌当接面側の表面に接合されて接合部８ａを形成している。また、伸縮シート６の長手方向の他側部６ｂは、吸収体４と裏面シート３との間に配され、他側部６ｂの非肌当接面側のシート材６２の表面が、吸収体４の非肌当接面側の表面に接合されて接合部８ｂを形成している。また、排泄部領域ａの前方の前方領域ｃ及び後方の後方領域ｂにおいて、伸縮性シート６は吸収性本体５に接合されている部分を有している。このように、帯状の伸縮シート６を、吸収性本体５の長手方向（ＣＬ線方向）の側部５ａに、長手方向に沿って、配設及び接合しているため、伸縮シート６が収縮することにより、中空のループ状に起立した部分を有する防漏壁７が形成される。各接合は、ヒートシールや接着剤等により行うことができる。第１実施形態においては、接合部８ａはヒートシールにより形成されており、伸縮シート６の非肌当接面側のシート材６２と吸収体４との接合は、接着剤により行われている。また、第１実施形態においては、表面シート２と吸収体４との接合は、接着剤により行われ、伸縮シート６の肌当接面側のシート材６１と裏面シート３との接合（接合部８ｂ）は、ヒートシールにより行われている。
【００２３】
上記防漏壁７を形成する複合シートは、図１及び図４に示すように、防漏壁７のループ状をなして起立している部分の前方及び後方、即ち排泄部領域ａの前方及び後方に弾性部材６３が配置されておらず、伸縮性シート６を形成していない。防漏壁７を形成する複合シートは、図１，図４に示すように、生理用ナプキン１の長手方向の両端部においては、表面シート２及び裏面シート３と同様に、吸収体４の長手方向の両端部から延出しており、その延出部はヒートシールまたはホットメルト等により接合固定されている。
【００２４】
第１実施形態の生理用ナプキン１Ａの形成材料について説明する。
上記表面シート２、上記裏面シート３及び上記吸収体４としては、通常、生理用ナプキン等の吸収性物品に用いられるものであれば、特に制限なく用いることができる。
【００２５】
上記伸縮シート６の肌当接面側のシート材６１としては、肌触りを良好にするため、ポリエチレン／ポリエステルからなる芯鞘構造の繊維、ポリエチレン／ポリプロピレンからなるサイドバイサイド構造の繊維、ポリプロピレン単体の繊維からなる熱可塑性不織布であることが好ましい。シート材６１の着色は、例えば、ポリプロピレン樹脂のペレットと所望の色の着色剤とを混合した原料を溶融し形成された繊維を用いた熱可塑性不織布であってもよいし、形成後の熱可塑性不織布等に所望の色をフレキソ、グラビア、インクジェット方式等により印刷して着色してもよい。非肌当接面側のシート材６２も、シート材６１と同様に、熱可塑性不織布であることが好ましく、シート材６２を着色する場合にも、シート材６１の着色方法と同様の方法が採用される。肌当接面側のシート材６１及び非肌当接面側のシート材６２は、何れか一方又は両方が撥水性又は液不透過性であることが好ましい。
【００２６】
上記伸縮シート６の肌当接面側の弾性部材６３としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を用いることができる。弾性部材６３を着色して濃色弾性部材６３ａ及び薄色弾性部材６３ｂを形成する方法は、合成ゴム、ＥＶＡ、伸縮性ポリオレフィン、ポリウレタン等の場合には、原料樹脂のペレットと所望の色の着色剤とを混合した混合原料を溶融することにより形成し、天然ゴムの場合には、ゴム乳液に所望の色の着色剤を混合することにより形成してもよい。また、形成後の合成ゴム、天然ゴム、ＥＶＡ、伸縮性ポリオレフィン、ポリウレタン等に所望の色をフレキソ、グラビア、インクジェット方式等により印刷して着色してもよい。
【００２７】
上記伸縮シート６の肌当接面側のシート材６１及び非肌当接面側のシート材６２が、熱可塑性不織布である場合には、不織布自体が伸縮性を有するように、クリンプ加工した繊維を用いることが好ましい。クリンプ加工されていない繊維による伸縮し難い不織布を肌当接面側のシート材６１及び非肌当接面側のシート材６２に使用する場合には、あらかじめ糸状の弾性部材６３を所定の伸張率まで伸張し、それを肌当接面側のシート材６１及び非肌当接面側のシート材６２の間に、略等間隔で配置し、ホットメルトやヒートシール等によって接着することによって、複合シートを作成しても良い。
【００２８】
次に上述した本発明の第１実施形態の生理用ナプキン１Ａを使用した際の作用効果について説明する。
第１実施形態の生理用ナプキン１Ａは、図１〜図４に示すように、一対の防漏壁７，７’を備えており、一対の防漏壁７，７’それぞれは、少なくとも排泄部領域ａにおいて、図２に示すように、断面略円状のループ形状に起立している。防漏壁７，７’それぞれには、図３に示すように、互いに異なる色の濃色弾性部材６３ａ及び薄色弾性部材６３ｂが配されており、濃色弾性部材６３ａは肌当接面側のシート材６１より濃い色である。その為、濃色弾性部材６３ａが引き立ち、防漏壁７，７’がループ形状に起立していることを装着者に認識させ易く、装着者に漏れに対する安心感を想起させ易い。
【００２９】
また、第１実施形態の生理用ナプキン１Ａのループ状の防漏壁７，７’には、３本の濃色弾性部材６３ａが配されており、濃色弾性部材６３ａは肌当接面側のシート材６１より濃い色である。装着者の経血等の体液は、表面シート２の表面を幅方向外方（ＣＬ線方向に直交する方向）に移動し、防漏壁７，７’をにじみながら外方に広がる。その際、装着者は、防漏壁７，７’の断面略円状のループ形状の頂部７ａに一番近い濃色弾性部材６３ａ１を指標として、体液が濃色弾性部材６３ａ１より外方ににじみ出した場合に、生理用ナプキン１Ａを交換する時期であると判断し易い。このように装着者が、生理用ナプキン１Ａの交換時期を判断できることにより、生理用ナプキン１Ａは横漏れを高確率で防止でき、生理用ナプキン１Ａの使用を効率的に行うことができる。
【００３０】
また、第１実施形態の生理用ナプキン１Ａのループ状の防漏壁７，７’を構成する肌当接面側のシート材６１は、図２及び図３に示すように、ループ状の防漏壁７の頂部７ａより幅方向外方（Ｘ３方向）において濃色シート６１ａである。濃色シート６１ａは表面シート２より濃い色である。その為、濃色シート６１ａが引き立ち、防漏壁７，７’がループ形状に起立していることを装着者に更に認識させ易く、装着者に漏れに対する安心感を更に想起させ易い。
【００３１】
次に、本発明の第２実施形態の生理用ナプキンについて、図５に基づいて説明する。
第２実施形態の生理用ナプキン１Ｂについては、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００３２】
第２実施形態の生理用ナプキン１Ｂの防漏壁７を形成する伸縮シート６は、図５に示すように、肌当接面側のシート材６１と、非肌当接面側のシート材６２と、それらのシート材６１，６２間に、糸状の複数本の弾性部材６３を、シート材６１，６２の長手方向（ＣＬ線方向）に配置して形成されている。複数本の弾性部材６３は、３本〜１０本であることが好ましく、第２実施形態の生理用ナプキン１Ｂにおいては、６本である。６本の弾性部材６３は、第２実施形態の生理用ナプキン１Ｂにおいては、相互に色の異なる、肌当接面側のシート材６１より濃い色の３本の濃色弾性部材６３ａ及び濃色弾性部材６３ａより薄い色の３本の薄色弾性部材６３ｂである。濃色弾性部材６３ａ及び薄色弾性部材６３ｂは、図５に示すように、ループ状の防漏壁７の頂部７ａより幅方向外方（Ｘ３方向）の領域に３本の濃色弾性部材６３ａが配され、頂部７ａより幅方向内方（Ｘ４方向）の領域に３本の薄色弾性部材６３ｂが配されている。濃色弾性部材６３ａ及び薄色弾性部材６３ｂは、伸張した状態で、帯状のシート材６１，６２の幅方向（ＣＬ線方向と直交方向）に交互に且つ略均等な間隔で配され、伸縮シート６を形成している。
【００３３】
第２実施形態の生理用ナプキン１Ｂのシート材６１は、第１実施形態の生理用ナプキン１Ａとは異なり、濃色シート６１ａ及び薄色シート６１ｂを有していない。即ち、シート材６１及び表面シート２は同一の白色である。
【００３４】
次に上述した本発明の第２実施形態の生理用ナプキンを使用した際の作用効果について説明する。
第２実施形態の生理用ナプキン１Ｂは、図５に示すように、一対の防漏壁７，７’を備えており、一対の防漏壁７，７’それぞれは、少なくとも排泄部領域ａにおいて、断面略円状のループ形状に起立している（図１参照）。防漏壁７，７’それぞれには、図５に示すように、互いに異なる色の濃色弾性部材６３ａ及び薄色弾性部材６３ｂが配されており、濃色弾性部材６３ａは肌当接面側のシート材６１より濃い色である。その濃色弾性部材６３ａが、３本、ループ状の防漏壁７の頂部７ａより幅方向外方（Ｘ３方向）の領域に配されている為、濃色弾性部材６３ａを配した防漏壁７の幅方向外方（Ｘ３方向）の領域が引き立ち、防漏壁７，７’がループ形状に起立していることを装着者に認識させ易く、装着者に漏れに対する安心感を想起させ易い。
【００３５】
また、第２実施形態の生理用ナプキン１Ｂのループ状の防漏壁７，７’には、３本の濃色弾性部材６３ａが配されており、濃色弾性部材６３ａは肌当接面側のシート材６１より濃い色である。装着者の経血等の体液は、表面シート２の表面を幅方向外方（ＣＬ線方向に直交する方向）に移動し、防漏壁７，７’をにじみながら外方に広がる。その際、装着者は、防漏壁７，７’の断面略円状のループ形状の頂部７ａに一番近い濃色弾性部材６３ａ１を指標として、体液が濃色弾性部材６３ａ１より外方ににじみ出した場合に、生理用ナプキン１Ｂを交換する時期であると判断し易い。このように装着者が、生理用ナプキン１Ｂの交換時期を判断できることにより、生理用ナプキン１Ｂは横漏れを高確率で防止でき、生理用ナプキン１Ｂの使用を効率的に行うことができる。
【００３６】
本発明の吸収性物品は、上述の第１及び第２実施形態の生理用ナプキンに何ら制限されるものではなく、適宜変更可能である。また、上述の第１及び第２実施形態の生理用ナプキンにおける各構成要件は、本発明の趣旨を損なわない範囲で、適宜組み合わせて実施できる。
【００３７】
例えば、上述の第１及び第２実施形態の生理用ナプキン１Ａ，１Ｂにおいては、６本の弾性部材６３を、３本の濃色弾性部材６３ａと３本の薄色弾性部材６３ｂとに均等に分けているが、均等でなくてもよく、また、６本の弾性部材６３の中に、濃色弾性部材６３ａと薄色弾性部材６３ｂとを含んでいてもよい。
【００３８】
また、上述の第１及び第２実施形態の生理用ナプキン１Ａ，１Ｂにおいては、濃色弾性部材６３ａは肌当接面側のシート材６１より濃い色であるが、肌当接面側のシート材６１と比較することなく、濃色弾性部材６３ａ及び薄色弾性部材６３ｂが全く色相の異なるものであってもよい。具体的には、濃色弾性部材６３ａが赤（Ｒ）であり、薄色弾性部材６３ｂが青（Ｂ）であってもよい。
【００３９】
また、上述の第１実施形態の生理用ナプキン１Ａにおいては、肌当接面側のシート材６１が濃色シート６１ａを有しているが、非肌当接面側のシート材６２が濃色シートを有していてもよい。例えば、内側の非肌当接面側のシート材６２が濃色シートであり、肌当接面側のシート材６１が白色シートであれば、淡い色を表現することができる。また、肌当接面側のシート材６１及び非肌当接面側のシート材６２が共に濃色シートを有していてもよい。
【００４０】
また、上述の第１及び第２実施形態の生理用ナプキン１Ａ，１Ｂにおいては、図３及び図５に示すように、防漏壁７を形成する伸縮シート６は、肌当接面側のシート材６１と非肌当接面側のシート材６２との２枚から形成されているが、肌当接面側のシート材６１の１枚から形成され、シート材６１をジグザクに手繰って、生理用ナプキン１Ａの長手方向（ＣＬ線方向）に皺を形成し、その皺の間毎に、各弾性部材６３を配設、固定して形成してもよい。
【００４１】
また、上述の第１及び第２実施形態の生理用ナプキン１Ａ，１Ｂにおいては、防漏壁７を形成する伸縮シート６は、図３及び図５に示すように、伸縮シート６の長手方向の一側部６ａの肌当接面側のシート材６１の表面が、表面シート２の肌当接面側の表面に接合されているが、図６（ａ）に示すように、伸縮シート６の長手方向の一側部６ａを折り返し、一側部６ａの非肌当接面側のシート材６２の表面が、表面シート２の肌当接面側の表面に接合されていてもよい。
【００４２】
また、上述の第１及び第２実施形態の生理用ナプキン１Ａ，１Ｂにおいては、防漏壁７を形成する伸縮シート６は、図３及び図５に示すように、伸縮シート６の長手方向の他側部６ｂは、吸収体４と裏面シート３との間に配されて接合部８ｂを形成しているが、図６（ｂ）に示すように、他側部６ｂを折り返し、他側部６ｂにおける非肌当接面側のシート材６２の表面が、延出した裏面シート３の肌当接面側の表面に接合されていてもよい。また、表面シート２と裏面シート３とが吸収体４の幅方向の両端から延出し接合されており、他側部６ｂを折り返し、他側部６ｂにおける非肌当接面側のシート材６２の表面が、延出した部分の表面シート２の肌当接面側の表面に接合されていてもよい。また、図６（ｃ）に示すように、伸縮シート６の長手方向の一側部６ａを折り返し、一側部６ａの非肌当接面側のシート材６２の表面が、表面シート２の肌当接面側の表面に接合され、他側部６ｂを折り返し、他側部６ｂにおける非肌当接面側のシート材６２の表面が、延出した部分の裏面シート３の肌当接面側の表面に接合されていてもよいし、表面シート２の肌当接面側の表面に接合されていてもよい。
【００４３】
本発明の吸収性物品は、生理用ナプキン以外にも、例えば、使い捨ておむつ、失禁者用パッド、パンティーライナー等に好適に用いることができる。
【符号の説明】
【００４４】
１Ａ，１Ｂ，１Ｃ  生理用ナプキン
２  表面シート
３  裏面シート
３１  ウイング部
３２  粘着部
４  吸収体
５  吸収性本体
５ａ，５ａ’  吸収性本体の長手方向の両側部
６，６’  伸縮シート
６１  肌当接面側のシート
６１ａ  濃色シート
６１ｂ  薄色シート
６２  非肌当接面側のシート
６３，６３’  弾性部材
６３ａ  濃色弾性部材
６３ａ１  ループ状の防漏壁の頂部に最も近い濃色弾性部材
６３ｂ  薄色弾性部材
６ａ  一側部
６ｂ  他側部
７，７’  防漏壁
７ａ  頂部
８ａ  接合部（伸縮シート６の一側部６ａとシート材６１との接合部）
８ｂ  接合部（伸縮シート６の他側部６ｂと吸収体４の非肌当接面側との接合部）
９  エンボス溝
【図１】
2010172646.tif 000003
【図２】
2010172646.tif 000004
【図３】
2010172646.tif 000005
【図４】
2010172646.tif 000006
【図５】
2010172646.tif 000007
【図６】
2010172646.tif 000008